(57)【要約】  本開示はフレキシブルディスプレイ及び表示装置を提供する。当該フレキシブルディスプレイは、基板と、前記基板における、フレキシブルディスプレイの発光面とは反対の一側に積層されるバックフィルムと、前記バックフィルムおける、前記基板とは反対の一側に積層され、前記フレキシブルディスプレイに加えられる力に関する信号を出力するように構成される圧力センサと、を含む。
2021501379.tif 000002
【特許請求の範囲】
【請求項１】
基板と、
前記基板における、フレキシブルディスプレイの発光面とは反対の一側に積層されるバックフィルムと、
前記バックフィルムおける、前記基板とは反対の一側に積層され、フレキシブルディスプレイに加えられる力に関する信号を出力するように構成される圧力センサと、を含む
フレキシブルディスプレイ。
【請求項２】
前記バックフィルムと前記圧力センサとの間に位置する遮光層をさらに含む、請求項１に記載のフレキシブルディスプレイ。
【請求項３】
前記基板と前記バックフィルムとの間に位置する遮光層をさらに含む、請求項１に記載のフレキシブルディスプレイ。
【請求項４】
前記遮光層の材料はインクを含む、請求項２または３に記載のフレキシブルディスプレイ。
【請求項５】
前記圧力センサは、前記バックフィルムに対して前記基板から離れる方向に順に設けられた第１の電極、誘電体層、第２の電極を含む、請求項１に記載のフレキシブルディスプレイ。
【請求項６】
前記第２の電極は接地電極であり、前記フレキシブルディスプレイのミドルフレームと共有される、請求項５に記載のフレキシブルディスプレイ。
【請求項７】
前記誘電体層の材料はフォームを含む、請求項５に記載のフレキシブルディスプレイ。
【請求項８】
前記誘電体層と前記第２の電極との間に位置する放熱層をさらに含む、請求項５に記載のフレキシブルディスプレイ。
【請求項９】
前記放熱層の材料は銅とグラファイトを含む、請求項８に記載のフレキシブルディスプレイ。
【請求項１０】
前記バックフィルムの材料はポリイミド、ポリエチレンテレフタレート、およびセルローストリアセテートのうちの１つである、請求項１に記載のフレキシブルディスプレイ。
【請求項１１】
前記基板上に位置する複数の画素ユニットをさらに含み、各前記画素ユニットには有機エレクトロルミネッセンスダイオードが含まれる、請求項１に記載のフレキシブルディスプレイ。
【請求項１２】
前記画素ユニットにおける、前記基板とは反対の一側に位置するタッチユニットをさらに含み、前記タッチユニットは各方向でのタッチを検出し、３Ｄタッチ機能を実現するように構成される、請求項１１に記載のフレキシブルディスプレイ。
【請求項１３】
前記タッチユニットは駆動電極と誘導電極を含む、請求項１２に記載のフレキシブルディスプレイ。
【請求項１４】
前記フォームはエチレンプロピレンジエンモノマーとポリウレタンのうちの１つである、請求項７に記載のフレキシブルディスプレイ。
【請求項１５】
請求項１〜１４のいずれかに記載のフレキシブルディスプレイを含む、表示装置。
【発明の詳細な説明】
【技術分野】
【０００１】
［関連出願の相互参照］
本願は、２０１７年１０月３０日に中国国家知識産権局に提出された中国特許出願Ｎｏ．２０１７１１０５２０９９．Ｘの優先権を主張し、当該出願のすべての内容を参照により援用する。
【０００２】
本開示は表示技術分野に関わり、具体的にフレキシブルディスプレイ及び表示装置に関するものである。
【背景技術】
【０００３】
近年、ＯＬＥＤ表示技術の出現及び継続的な発展に伴い、フレキシブル表示、フレキシブル圧力タッチ技術が誕生した。現在、表示分野、特に携帯電話またはタブレットなどの分野において、表示パネルに加えられる圧力を感知する圧力センサは、通常、別途用意したガラス基板上に形成する必要があり、その後、圧力センサを有するガラス基板がフレキシブル表示パネルに組み込まれる。このような方法では、ガラス基板が追加されるため、フレキシブル表示パネルの厚さが増加する。
【発明の概要】
【発明が解決しようとする課題】
【０００４】
本開示は、関連技術に存在する技術課題を少なくとも部分的に解決するために完成したものであり、薄くて軽いフレキシブルディスプレイ及び表示装置を提供する。
【課題を解決するための手段】
【０００５】
本開示の１つの態様では、
基板と、
前記基板における、フレキシブルディスプレイの発光面とは反対の一側に積層されるバックフィルムと、
前記バックフィルムおける、前記基板とは反対の一側に積層され、フレキシブルディスプレイに加えられる力に関する信号を出力するように構成される圧力センサと、を含む
フレキシブルディスプレイを提供する。
【０００６】
一部の実施例において、前記フレキシブルディスプレイは、前記バックフィルムと前記圧力センサとの間に位置する遮光層をさらに含む。
【０００７】
一部の実施例において、前記フレキシブルディスプレイは、前記基板と前記バックフィルムとの間に位置する遮光層をさらに含む。
【０００８】
一部の実施例において、前記遮光層の材料はインクを含む。
【０００９】
一部の実施例において、前記圧力センサは、前記バックフィルムに対して前記基板から離れる方向に順に設けられた第１の電極、誘電体層、第２の電極を含む。
【００１０】
一部の実施例において、前記第２の電極は接地電極であり、前記フレキシブルディスプレイのミドルフレームと共有される。
【００１１】
一部の実施例において、前記誘電体層の材料はフォームを含む。
【００１２】
一部の実施例において、前記誘電体層と前記第２の電極との間に位置する放熱層をさらに含む。
【００１３】
一部の実施例において、前記放熱層の材料は銅とグラファイトを含む。
【００１４】
一部の実施例において、前記バックフィルムの材料はポリイミド、ポリエチレンテレフタレート、およびセルローストリアセテートのうちの１つである。
【００１５】
一部の実施例において、前記フレキシブルディスプレイは、前記基板上に位置する複数の画素ユニットをさらに含み、各前記画素ユニットには有機エレクトロルミネッセンスダイオードが含まれる。
【００１６】
一部の実施例において、前記フレキシブルディスプレイは、前記画素ユニットにおける、前記基板とは反対の一側に位置するタッチユニットをさらに含み、前記タッチユニットは各方向でのタッチを検出し、３Ｄタッチ機能を実現するように構成される。
【００１７】
一部の実施例において、前記タッチユニットは駆動電極と誘導電極を含む。
【００１８】
一部の実施例において、前記フォームはエチレンプロピレンジエンモノマーとポリウレタンのうちの１つである。
【００１９】
本開示のもう１つの態様では、上記フレキシブルディスプレイを含む表示装置を提供する。
【図面の簡単な説明】
【００２０】
【図１】本開示の例示的な実施例によるフレキシブルディスプレイの構造概略図である。
【図２】本開示の例示的な実施例による、放熱層を備えたフレキシブルディスプレイの構造概略図である。
【図３】本開示の例示的な実施例による、遮光層を備えたフレキシブルディスプレイの構造概略図である。
【図４】本開示の例示的な実施例による、遮光層を備えたフレキシブルディスプレイの他の構造概略図である。
【図５】本開示の例示的な実施例による、画素ユニットとタッチユニットを備えたフレキシブルディスプレイの構造概略図である。
【発明を実施するための形態】
【００２１】
当業者が本開示の技術案をよりよく理解できるように、以下では図面及び具体的な実施形態を組み合わせて本開示についてさらに詳細に説明する。
【００２２】
本開示の１つの態様では、フレキシブルディスプレイを提供する。図１に示すように、当該フレキシブルディスプレイは基板１０、バックフィルム１、圧力センサ２を含む。バックフィルム１は、基板１０における、フレキシブルディスプレイの発光面とは反対の側面に積層され、圧力センサ２は、バックフィルム１における、基板１０とは反対の側面に積層され、フレキシブルディスプレイに加えられる力に関する信号を出力するように構成される。
【００２３】
本例示的な実施例によるフレキシブルディスプレイにおける圧力センサ２はバックフィルム１に設けられるため、単独の基板（例えば、関連技術におけるガラス基板）を選択して圧力センサ２を形成する必要がなく、これにより、形成された、圧力センサ２を有するフレキシブルディスプレイは比較的薄くて軽く、工程コストも低減できる。
【００２４】
本開示の例示的な実施例において、圧力センサ２は容量式圧力センサであり、図１に示すように、バックフィルム１に対して基板１０から離れる方向に順に設けられた第１の電極２１、誘電体層２３、第２の電極２２を含む。第２の電極２２は、全層構造の接地電極であり、フレキシブルディスプレイのミドルフレーム７（図１では左側の一部のみを概略的に示す）と共有されるため、フレキシブルディスプレイの軽量化および薄型化を図ることができる。圧力センサ２の各層構造（即ち、第１の電極２１、誘電体層２３、第２の電極２２）は、印刷工程により完成することができ、当該工程は簡単で歩留まりが高い。ここで一点説明すると、第１の電極２１と誘電体層２３との間、及び誘電体層２３と第２の電極２２との間は、いずれも両面テープで接着することができ、これにより容易かつ簡便に圧力センサ２を形成することができる。
【００２５】
本開示の例示的な実施例において、圧力センサ２における誘電体層２３の材料はフォームであり、フォームの材料はＥＰＤＭ（エチレンプロピレンジエンモノマー）、ＰＵ（ポリウレタン）などの絶縁材料であってよい。フォームの弾性は良好であるため、圧力センサ２に圧力を加えたときにフォームが変形し、第１の電極２１と第２の電極２２との間の距離を変えることができ、静電容量式Ｃ＝εＳ／ｄにより、圧力センサ２の静電容量変化を求めることができる。ここで一点説明すると、通常の場合、静電容量式はＣ＝εＳ／４πｋｄであるが、平行な２つの極板の間隔ｄがそれらの幅と長さよりもはるかに小さい場合、静電容量式はＣ＝εＳ／ｄに近似し、εは極板間の誘電体の誘電率、Ｓは極板の面積、ｄは極板間の距離である。
【００２６】
本開示の例示的な実施例では、図２に示すように、フレキシブルディスプレイはさらに放熱層３を含み、当該放熱層３は誘電体層２３と第２の電極２２との間に位置し、フレキシブルディスプレイが発した熱を放出する。例えば、フレキシブルディスプレイが携帯電話である場合、放熱層３は主に携帯電話のバッテリーが発した熱を放出する。放熱層３の材料は銅とグラファイトを含んでよいが、当然、この２種類の材料には限定されず、放熱機能を有する他の材料を用いることもできる。
【００２７】
本開示の例示的な実施例において、フレキシブルディスプレイが表示するときに圧力センサ２が見えないように、図３に示すようにバックフィルム１と圧力センサ２との間に、または図４に示すように基板１０とバックフィルム１との間に遮光層４が設けられている。遮光層４の材料はインクであってよいが、当然、黒い樹脂材料のような他の不透明な材料を用いることもできる。
【００２８】
本開示の例示的な実施例において、バックフィルムの材料はＰＩ（ポリイミド）、ＰＥＴ（ポリエチレンテレフタレート）、ＴＡＣ（セルローストリアセテート）のいずれかの高分子フィルム材料を含む。当然、上記の材料には限定されず、他の可撓性材料を用いることもできる。
【００２９】
本開示の例示的な実施例において、フレキシブルディスプレイは有機エレクトロルミネッセンスダイオードディスプレイであってよいため、図５に示すように、当該フレキシブルディスプレイは、基板１０上に位置する複数の画素ユニット５をさらに含み、各画素ユニット５には有機エレクトロルミネッセンスダイオード５１が含まれる。
【００３０】
本開示の例示的な実施例において、図５に示すように、画素ユニット５の発光面側にはタッチを実現するためのタッチユニット６がさらに設けられており、通常、タッチユニット６は駆動電極と誘導電極を含む。このとき、本例示的な実施例におけるフレキシブルディスプレイは、Ｘ、Ｙ、Ｚの３方向でのタッチ検出を実現し、３Ｄタッチ機能を実現することができる。上記構成を有するモジュール全体は比較的薄くて軽いため、フレキシブルディスプレイの曲げに有利である。
【００３１】
本開示のもう１つの態様では表示装置を提供する。当該表示装置は上記フレキシブルディスプレイを含むものであり、フレキシブルディスプレイの構造について、ここでは詳細な説明を省略する。
【００３２】
本開示の例示的な実施例において、当該表示装置は、ＯＬＥＤパネル、携帯電話、タブレットコンピュータ、テレビ、ディスプレイ、ノートパソコン、デジタルフォトフレーム、ナビゲータなどの、表示機能を有する任意の製品または部材を含んでもよい。
【００３３】
以上の実施形態は、本開示の原理を説明するために用いた例示的な実施形態であって、本開示はこれに限らない。当業者は、本開示の精神と実質を逸脱しなければ、各種の変形と改善を行うことができ、これらの変形と改善も本開示の請求範囲であると見なされる。
【図１】
2021501379.tif 000003
【図２】
2021501379.tif 000004
【図３】
2021501379.tif 000005
【図４】
2021501379.tif 000006
【図５】
2021501379.tif 000007
【国際調査報告】
2021501379.tif 000008
2021501379.tif 000009
2021501379.tif 000010
2021501379.tif 000011